(57)【要約】【課題】より安定的に頭皮への光照射が可能な頭皮ケア装置を提供すること。【解決手段】光照射部２０が設けられたノズル１５の先端には、当該光照射部２０とその照射対象、即ち頭皮との距離を測定可能な距離センサ２２が設けられる。また、本体ケース２内には、その前方開口部８に取着されたノズル１５をその軸線方向に沿って移動させることが可能なアクチュエータ２３が設けられる。そして、このアクチュエータ２３によって、上記距離センサ２２による測定距離に基づきノズル１５を軸線方向に移動させる。【選択図】図１
2010131260.tif 000002
【特許請求の範囲】
【請求項１】
送風機を収容するとともに該送風機により圧送された送風が吹き出される吹出口を有する本体ケースと、前記送風の吹出方向に光照射を行なう光照射部とを備えた頭皮ケア装置であって、
前記光照射部とその照射対象との距離を測定する距離センサと、
前記距離センサによる測定距離に基づいて、前記光照射部を前記照射対象に対して接離する方向に移動させることが可能な移動手段とを備えること、
を特徴とする頭皮ケア装置。
【請求項２】
請求項１に記載の頭皮ケア装置において、
前記光照射部は、前記吹出口が形成されたノズルの先端に設けられるものであって、
前記移動手段は、前記吹出方向に沿って前記ノズルの先端位置を移動させることが可能なアクチュエータと、該アクチュエータの作動を制御する制御部とを備えてなること、
を特徴とする頭皮ケア装置。
【請求項３】
送風機を収容するとともに該送風機により圧送された送風が吹き出される吹出口を有する本体ケースと、前記送風の吹出方向に光照射を行なう光照射部とを備えた頭皮ケア装置であって、
前記光照射部とその照射対象との距離を測定する距離センサと、
前記距離センサによる測定距離に基づいて、前記光照射部による光照射の光量を制御する光量制御手段とを備えること、を特徴とする頭皮ケア装置。
【請求項４】
送風機を収容するとともに該送風機により圧送された送風が吹き出される吹出口を有する本体ケースと、前記送風の吹出方向に光照射を行なう光照射部とを備えた頭皮ケア装置であって、
前記吹出口の形成位置から前記吹出方向に延伸されるとともに可撓性を有して形成された複数の突出部を備え、前記光照射部は、前記各突出部の先端に形成されること、
を特徴とする頭皮ケア装置。
【請求項５】
請求項１〜請求項４の何れか一項に記載の頭皮ケア装置において、
前記距離センサによる測定距離に基づいて、前記送風機の送風量を制御する風量制御手段を備えること、を特徴とする頭皮ケア装置。
【請求項６】
請求項１〜請求項５の何れか一項に記載の頭皮ケア装置において、
前記送風を加熱するヒータを備え、
前記距離センサによる測定距離に基づいて、前記ヒータの発熱量を制御する熱量制御手段を備えること、を特徴とする頭皮ケア装置。
【請求項７】
請求項１〜請求項６の何れか一項に記載の頭皮ケア装置において、
前記光照射部による照射光は赤色光であること、
を特徴とする頭皮ケア装置。
【発明の詳細な説明】
【技術分野】
【０００１】
本発明は、送風の吹き付けとともに光照射を行なうことにより頭皮の活性化や育毛を図る頭皮ケア装置に関するものである。
【背景技術】
【０００２】
従来、ノズル先端の吹出口から送風を吹き付けることにより頭皮のマッサージを行なう頭皮ケア装置がある。そして、そのなかには、さらなる付加的機能を加えることにより、その相乗効果を得ることを可能としたものがある。
【０００３】
即ち、例えば、特許文献１に示されるように、その付加的機能部としてマイナスイオン装置を加えることで、頭髪のトリートメント効果を得ることできる。また、特許文献２に示されるような光照射機能を付加することにより、効果的に地肌や毛根に刺激を与えることが可能になる。そして、これにより、その血行と新陳代謝を促進して頭皮の活性化や育毛を図ることができるようになる。
【特許文献１】特許第３４０２３２３号明細書
【特許文献２】特開２００７−５４５９５号公報
【発明の開示】
【発明が解決しようとする課題】
【０００４】
しかしながら、上記従来例のような、使用者が装置を保持することによりそのノズルを頭部へ向けた状態で光照射を行なう構成では、その保持位置の変化によって、その照射対象面における光量が安定しないという問題がある。そして、さらに、頭部に対する光照射の場合、その多くが頭髪により遮られてしまうことで、その照射対象である頭皮まで照射光が届かない可能性もあり、この点において、なお改善の余地を残すものとなっていた。
【０００５】
本発明は、上記問題点を解決するためになされたものであって、その目的は、より安定的に頭皮への光照射が可能な頭皮ケア装置を提供することにある。
【課題を解決するための手段】
【０００６】
上記問題点を解決するために、請求項１に記載の発明は、送風機を収容するとともに該送風機により圧送された送風が吹き出される吹出口を有する本体ケースと、前記送風の吹出方向に光照射を行なう光照射部とを備えた頭皮ケア装置であって、前記光照射部とその照射対象との距離を測定する距離センサと、前記距離センサによる測定距離に基づいて、前記光照射部を前記照射対象に対して接離する方向に移動させることが可能な移動手段とを備えること、を要旨とする。
【０００７】
上記構成によれば、容易に、光照射部とその照射対象である頭皮との距離を最適化して、その頭皮に対する照射光の光強度を安定化させることができる。
請求項２に記載の発明は、前記光照射部は、前記吹出口が形成されたノズルの先端に設けられるものであって、前記移動手段は、前記吹出方向に沿って前記ノズルの先端位置を移動させることが可能なアクチュエータと、該アクチュエータの作動を制御する制御部とを備えてなること、を要旨とする。
【０００８】
上記構成によれば、装置が頭部から離れた位置にある場合には、そのノズルの伸張により、頭皮により近い位置で送風を頭髪に吹き付けて、効果的に頭髪を掻き分けることが可能になる。これにより、当該頭髪に遮られることなく、直接的に頭皮への光照射を行なうことができる。その結果、より安定的に頭皮への光照射を行なうことができるようになる。
【０００９】
請求項３に記載の発明は、送風機を収容するとともに該送風機により圧送された送風が吹き出される吹出口を有する本体ケースと、前記送風の吹出方向に光照射を行なう光照射部とを備えた頭皮ケア装置であって、前記光照射部とその照射対象との距離を測定する距離センサと、前記距離センサによる測定距離に基づいて、前記光照射部による光照射の光量を制御する光量制御手段とを備えること、を要旨とする。
【００１０】
上記構成によれば、光照射部とその照射対象である頭皮との距離が離れている場合には、その光量を増大させることで、使用者による装置の保持位置によらず、安定的に頭皮への光照射を行なうことができるようになる。
【００１１】
請求項４に記載の発明は、送風機を収容するとともに該送風機により圧送された送風が吹き出される吹出口を有する本体ケースと、前記送風の吹出方向に光照射を行なう光照射部とを備えた頭皮ケア装置であって、前記吹出口の形成位置から前記吹出方向に延伸されるとともに可撓性を有して形成された複数の突出部を備え、前記光照射部は、前記各突出部の先端に形成されること、を要旨とする。
【００１２】
上記構成によれば、常に、照射対象である頭皮近傍において、その光照射が行なわれる。従って、その頭皮への光照射をより安定させることができるとともに、併せて目等への誤照射の発生を防止することができる。更に、各突出部の可撓性を確保することにより、容易且つ効果的に頭髪を掻き分けて、各光照射部を頭皮近傍に配置することができる。そして、これにより、当該頭髪に遮られることなく直接的に頭皮への光照射を行なうことができ、その結果、より安定的に頭皮への光照射を行なうことができるようになる。
【００１３】
請求項５に記載の発明は、前記距離センサによる測定距離に基づいて、前記送風機の送風量を制御する風量制御手段を備えること、を要旨とする。
上記構成によれば、装置が頭部から離れた位置にある場合には、その送風量を大とすることによって、より効果的に頭髪を掻き分けることが可能になり、当該頭髪に遮られることなく、直接的に頭皮への光照射を行なうことができる。その結果、より安定的に頭皮への光照射を行なうことができるようになる。
【００１４】
請求項６に記載の発明は、前記送風を加熱するヒータを備え、前記距離センサによる測定距離に基づいて、前記ヒータの発熱量を制御する熱量制御手段を備えること、を要旨とする。
【００１５】
上記構成によれば、装置が頭部に近い位置にある場合には、ヒータの発生する熱量を低減することで、その送風温が頭髪や頭皮に与えるダメージを低減することができる。また、併せて、高温の送風による光源の劣化を抑制することができる。
【００１６】
請求項７に記載の発明は、前記光照射部による照射光は赤色光であること、を要旨とする。
上記構成によれば、毛乳頭細胞を賦活化することができ、その結果、高い育毛効果を期待することができる。
【発明の効果】
【００１７】
本発明によれば、より安定的に頭皮への光照射が可能な頭皮ケア装置を提供することができる。
【発明を実施するための最良の形態】
【００１８】
以下、本発明を具体化した第１の実施形態を図面に従って説明する。
図１に示すように、本実施形態の頭皮ケア装置１は、略円筒状に形成された本体ケース２を備えており、同本体ケース２内には、モータ３によりファン４を回転駆動する送風機５が設けられている。
【００１９】
本実施形態では、本体ケース２の軸方向端部の一方（後方開口部６、同図中、右の端部）が、空気の吸入口７となっており、送風機５は、そのファン４の回転により、同吸入口７から本体ケース２内に吸入された空気を他方側の軸方向端部（前方開口部８、同図中、左側の端部）方向へと圧送する構成となっている。
【００２０】
尚、本体ケース２の側面には、その軸線と略直交する方向に延設されたハンドル部１０が設けられている。そして、同ハンドル部１０には、使用者により操作されるスイッチ１１、制御基板１２、及び同制御基板１２と外部電源とを接続する給電コード１３が内蔵されている。
【００２１】
また、本体ケース２の前方開口部８には、略円筒状に形成されたノズル１５が設けられている。尚、本実施形態では、ノズル１５の外径は、本体ケース２の内径と略等しく（僅かに小さく）設定されており、同ノズル１５は、本体ケース２の前方開口部８に内嵌されることにより、同前方開口部８から前方（同図中、左側）に向って延設されている。そして、このノズル１５の先端（同図中、左側の端部）には、送風機５により圧送された送風が吹き出される吹出口１７が形成されている。
【００２２】
更に、本実施形態では、本体ケース２内には、送風機５の送風を加熱するヒータ１８が設けられており、これにより、ノズル１５の吹出口１７から同ヒータ１８により加熱された温風を吹き出すことが可能となっている。
【００２３】
即ち、使用者は、そのノズル１５の先端を頭部に向けた状態でハンドル部１０を把持し、同ハンドル部１０に設けられたスイッチ１１を操作する。そして、吹出口１７から吹き出される送風を頭皮に吹き付けることにより、その風圧によるマッサージ、及び頭髪の乾燥を行なうことができる。
【００２４】
また、本実施形態では、ノズル１５の先端、詳しくは、その吹出口１７の内部には、当該吹出口１７から吹き出される送風の吹出方向（同図中、左側）、即ち同ノズル１５の軸線方向に光照射を行なうことが可能な光照射部２０が設けられている。尚、本実施形態では、この光照射部２０の光源としてはＬＥＤが用いられている。そして、その光照射により、血行及び新陳代謝を促進して、頭皮の活性化と育毛を図ることが可能な構成となっている。
【００２５】
ここで、本実施形態では、上記光照射部２０が設けられたノズル１５の先端には、当該光照射部２０とその照射対象、即ち頭皮との距離を測定可能な距離センサ２２が設けられている。尚、本実施形態では、この距離センサ２２には、赤外線センサが用いられている。また、本体ケース２内には、その前方開口部８に取着されたノズル１５をその軸線方向（同図中、左右方向）に沿って移動、即ち照射対象である頭皮に対して接離する方向に移動させることが可能なアクチュエータ２３が設けられている。尚、本実施形態では、このアクチュエータ２３は、モータ及び減速機、並びに当該モータの回転を上記ノズル１５の軸線方向への移動に変換する変換機構（ラック＆ピニオン等）により構成されている。そして、本実施形態では、上記距離センサ２２による測定距離に基づきノズル１５を軸線方向に移動させることにより、容易に、光照射部２０とその照射対象である頭皮との距離を最適化することが可能な構成となっている。
【００２６】
図２は、本実施形態の頭皮ケア装置１の電気的構成を概略的に示すブロック図である。
同図に示すように、上記ハンドル部１０に内蔵された制御基板１２には、上記送風機５（のモータ３）、及びヒータ１８、光照射部２０（のＬＥＤ）、及びノズル１５のアクチュエータ２３にそれぞれ対応する各制御部、即ち、風量制御部３２、熱量制御部３３、光量制御部３４、及び位置制御部３５が設けられている。また、制御基板１２には、電源部３６が設けられており、電源部３６は、上記給電コード１３（図１参照）から供給される外部電源に基づいて、上記各制御部（３２〜３５）に対し、それぞれ調整された電源電圧を供給する。そして、これら各制御部（３２〜３５）は、上記ハンドル部１０に設けられたスイッチ１１及び距離センサ２２から入力される各信号Ｓ１，Ｓ２に基づいて、それぞれ、その電力供給を通じて制御対象の作動を制御する構成となっている。
【００２７】
具体的には、本実施形態では、風量制御部３２、熱量制御部３３、及び光量制御部３４には、上記スイッチ１１に対する操作入力を示す信号Ｓ１が入力されるようになっており、これらの各制御部（３２〜３４）は、同信号Ｓ１に基づいて、その制御対象に対する電力供給を開始する。即ち、本実施形態の頭皮ケア装置１では、使用者がハンドル部１０を把持し、そのスイッチ１１を操作することにより、送風（温風）及び光照射が開始されるようになっている。
【００２８】
また、アクチュエータ２３の作動を制御する位置制御部３５には、上記距離センサ２２の出力する信号Ｓ２、即ち同距離センサ２２よる距離測定の結果、つまり光照射部２０とその照射対象である頭皮との距離（測定距離）が入力されるようになっている。そして、位置制御部３５は、その距離センサ２２による測定距離に基づいて、アクチュエータ２３の作動を制御、即ち、ノズル１５をその軸線方向に沿って移動させる構成となっている。
【００２９】
より具体的には、図３に示すように、位置制御部３５は、距離センサ２２による測定距離Ｘが遠いほど、ノズル１５を本体ケース２の前方開口部８から前方方向（図１参照、左方向）に移動させる、即ちその伸張量Ｘ１が大となるようにアクチュエータ２３の作動を制御する。そして、その光照射部２０が設けられたノズル１５先端を頭皮に近づけることにより、当該光照射部２０と照射対象である頭皮との距離を最適化する構成となっている。
【００３０】
以上、本実施形態によれば、以下のような作用・効果を得ることができる。
光照射部２０が設けられたノズル１５の先端には、当該光照射部２０とその照射対象、即ち頭皮との距離を測定可能な距離センサ２２が設けられる。また、本体ケース２内には、その前方開口部８に取着されたノズル１５をその軸線方向に沿って移動させることが可能なアクチュエータ２３が設けられる。そして、このアクチュエータ２３によって、上記距離センサ２２による測定距離に基づきノズル１５を軸線方向に移動させる。
【００３１】
上記構成のように光照射部２０をその照射対象となる頭皮に対して接離する方向に移動させることのできる移動手段を設けることにより、容易に、光照射部とその照射対象である頭皮との距離を最適化して、その頭皮に対する照射光の光強度を安定化させることができる。また、ノズル１５が伸張することにより、頭皮により近い位置で送風を頭髪に吹き付けて、効果的に頭髪を掻き分けることが可能になる。そして、これにより、当該頭髪に遮られることなく、直接的に頭皮への光照射を行なうことができ、その結果、より安定的に頭皮への光照射を行なうことができるようになる。
【００３２】
（第２の実施形態）
以下、本発明を具体化した第２の実施形態を図面に従って説明する。尚、説明の便宜上、上記第１の実施形態と同一の構成については、同一の符号を付すことにより、その説明を省略する。
【００３３】
図４に示すように、本実施形態の頭皮ケア装置４１では、上記第１の実施形態の頭皮ケア装置１におけるノズル１５及びそのアクチュエータ２３に相当する部材が廃されている（図１参照）。即ち、本実施形態では、本体ケース２の前方開口部８により、その送風の吹出口１７が構成されており、光照射部２０及び距離センサ２２は、その吹出口１７内に設けられている。そして、図５に示すように、制御基板４２についても、その上記第１の実施形態の制御基板１２における位置制御部３５に相当する制御部が廃されている（図２参照）。
【００３４】
ここで、本実施形態では、距離センサ２２の出力する信号Ｓ２、即ち同距離センサ２２よる距離測定の結果は、光量制御部３４に入力されるようになっている。そして、光量制御部３４は、その距離センサ２２よる距離測定に基づいて、光照射部２０による照射光の光量（光強度）を制御する構成となっている。具体的には、図６に示すように、光量制御部３４は、距離センサ２２による測定距離Ｘが遠いほど、その光照射部２０の照射光の光強度Ｌｘを大とするように制御する。そして、本実施形態では、これにより、安定的な頭皮への光照射を行なうことが可能な構成となっている。
【００３５】
尚、その可変範囲（同図中、ＭＩＮ〜ＭＡＸ）については、例えば、装置（吹出口１７）の保持位置が頭部から６０ｍｍであるときの光強度を１０００ルクスとして、約２５０ルクス〜２２５０ルクス程度の幅で可変可能とするとよい。
【００３６】
また、本実施形態では、この距離センサ２２による距離測定の結果（信号Ｓ２）は、熱量制御部３３にも入力されるようになっている。そして、熱量制御部３３は、その距離センサ２２よる距離測定に基づいて、ヒータ１８の発生する熱量を制御する構成となっている。具体的には、距離センサ２２による測定距離Ｘが所定距離Ｘ２よりも近い場合には、そのヒータ１８の発生する熱量Ｑを低減（略半減）するように構成されている。そして、本実施形態では、これにより、その送風温が頭髪や頭皮に与えるダメージの低減を図る構成となっている。
【００３７】
以上、本実施形態によれば、以下のような作用・効果を得ることができる。
（１）距離センサ２２による測定距離Ｘが遠いほど、その光照射部２０の照射光の光強度Ｌｘを大とすることで、使用者による装置の保持位置によらず、安定的に頭皮への光照射を行なうことができるようになる。また、上記第１の実施形態のような、光照射部２０の移動手段（ノズル１５及びアクチュエータ２３）を廃することで、小型・軽量化、及び低コスト化を図ることができる。
【００３８】
（２）距離センサ２２による測定距離Ｘが所定距離Ｘ２よりも近い場合には、そのヒータ１８の発生する熱量Ｑを低減することで、その送風温が頭髪や頭皮に与えるダメージを低減することができる。また、併せて、高温の送風による光源の劣化を抑制することができる。
【００３９】
（第３の実施形態）
以下、本発明を具体化した第３の実施形態を図面に従って説明する。尚、説明の便宜上、上記第２の実施形態と同一の構成については、同一の符号を付すことにより、その説明を省略する。
【００４０】
図８に示すように、本実施形態の頭皮ケア装置５１では、送風の吹出口１７を構成する本体ケース２の前方開口部８には、当該前方開口部８から前方側（同図中、左側）、即ち送風の吹出方向に延伸された複数の突出部５２が設けられており、光照射部２０は、これら各突出部５２の先端にそれぞれ設けられている。具体的には、これらの各突出部５２は、棒状に形成されるとともに、その材質に軟性樹脂等を用いることによって可撓性が担保されている。
【００４１】
また、本実施形態では、上記距離センサ２２の出力信号（Ｓ２）に基づいて、各突出部５２の先端、即ち各光照射部２０とその光照射の対象である頭皮との近接判定が行なわれる。尚、本実施形態では、この近接判定は、制御基板４２に設けられた光量制御部３４において行なわれる（図５参照）。そして、本実施形態では、これら各突出部５２の先端が、その光照射の対象である頭皮近傍まで接近した場合にのみ、当該各光照射部２０による光照射が開始されるようになっている。
【００４２】
以上、本実施形態によれば、以下のような作用・効果を得ることができる。
（１）上記構成によれば、常に、照射対象である頭皮近傍において、その光照射が行なわれる。従って、その頭皮への光照射をより安定させることができるとともに、併せて目等への誤照射の発生を防止することができる。
【００４３】
（２）更に、各突出部５２の可撓性を確保することにより、容易且つ効果的に頭髪を掻き分けて、各光照射部２０を頭皮近傍に配置することが可能になる。そして、これにより、当該頭髪に遮られることなく直接的に頭皮への光照射を行なうことができ、その結果、より安定的に頭皮への光照射を行なうことができるようになる。
【００４４】
なお、上記各実施形態は以下のように変更してもよい。
・上記各実施形態では、光照射部２０の光源にはＬＥＤが用いられることとしたが、キセノンランプ等、その他を光源として用いてもよい。また、その数は複数であってもよく、照射方法は、間欠照射（パルス照射）であってもよい。
【００４５】
・上記第２の実施形態における光量の制御については、図６に示される態様に限るものではなく、距離センサ２２による測定距離Ｘが遠いほど、その光照射部２０の照射光の光強度Ｌｘを大とする構成であれば、例えば、測定距離Ｘの二乗に反比例してその光量を変化させる等、その他の態様であってもよい。また、ヒータ１８の発生する熱量Ｑの制御についても同様であり、必ずしも図７に示されるような二段階制御である必要はない。
【００４６】
・また、各制御部（３２〜３５）の具体的構成、及びその供給電力の制御態様（例えば、ＰＷＭ制御等）についても特に限定されない。
・更に、図９に示される頭皮ケア装置６１のように、距離センサ２２の出力信号（Ｓ２）を制御基板６２に設けられた各制御部（３２〜３５）に入力する。そして、その距離センサ２２による測定距離に基づいて、それぞれ、その制御を実行する構成としてもよい。
【００４７】
例えば、上記第２の実施形態のようなノズル１５及びアクチュエータ２３を持たない構成においては、風量制御部３２は、その距離センサ２２よる距離測定に基づいて、送風機５の送風量を制御する。具体的には、図１０に示すように、距離センサ２２による測定距離Ｘが遠いほど、その送風機５の送風量Ｗを大とするように制御する。このような構成とすれば、その送風によって、より効果的に頭髪を掻き分けることが可能になる。そして、これにより、当該頭髪に遮られることなく、直接的に頭皮への光照射を行なうことができ、その結果、より安定的に頭皮への光照射を行なうことができるようになる。
【００４８】
・上記第１の実施形態では、ノズル１５の先端に光照射部２０及び距離センサ２２を設け、アクチュエータ２３により同ノズル１５を軸線方向に移動（伸張）させることにより光照射部２０を、その照射対象である頭皮に対して接離する方向に移動させることが可能な移動手段を形成した。しかし、これに限らず、例えば、図１１に示される頭皮ケア装置７１のように、本体ケース２の前方開口部８により送風の吹出口１７が形成されるものについて、その前方開口部８から前方側（同図中、左側）にアーム７２を伸張可能なアクチュエータ７３を設ける。そして、そのアーム７２の先端に光照射部２０を設ける構成としてもよい。このような構成としても、容易に、光照射部２０とその照射対象である頭皮との距離を最適化して、その頭皮に対する照射光の光強度を安定化させることができる。
【００４９】
・また、図１２に示されるように、光照射部２０による照射光を赤色光（例えば、同図中、６３０ｎｍ近傍の領域αに示される波長を有する光）とするとよい。これにより、毛乳頭細胞を賦活化することができ、その結果、高い育毛効果を期待することができる。
【００５０】
・上記第１の実施形態では、アクチュエータ２３は、ノズル１５自体をその軸線方向に移動させることにより、光照射部２０をその照射対象である頭皮に対して接離する方向に移動させることとした。しかし、これに限らず、例えば、ノズル１５を蛇腹状として、その全長を伸縮させることにより、その光照射部２０が設けられた先端位置を移動させる構成としてもよい。
【００５１】
・上記各実施形態では、風量制御手段、熱量制御手段、光量制御手段、及び移動手段を構成する各制御部（３２〜３４，３５）は、ハンドル部１０に内蔵された制御基板１２（４２，６２）に設けられることとした。しかし、これに限らず、本体ケース２内にサブ基板を設ける等、各制御部を分散配置する構成であってもよい。
【００５２】
・上記第１の実施形態のように、ノズル１５の先端に光照射部２０が設けられる場合には、同ノズル１５を着脱可能とする構成であってもよい。このような構成とすれば、ドライヤーとしての用途のみの使用時には、そのノズル１５を外すことで、温風による光源の劣化を防止することができる。その結果、長寿命化を実現することができる。
【図面の簡単な説明】
【００５３】
【図１】第１の実施形態における頭皮ケア装置の概略構成図。
【図２】第１の実施形態における頭皮ケア装置の電気的構成を概略的に示すブロック図。
【図３】距離センサによる測定距離とノズルの伸張量との関係を示す説明図。
【図４】第２の実施形態における頭皮ケア装置の概略構成図。
【図５】第２の実施形態における頭皮ケア装置の電気的構成を概略的に示すブロック図。
【図６】距離センサによる測定距離と光照射部による照射光の光量（光強度）との関係を示す説明図。
【図７】距離センサによる測定距離とヒータ熱量との関係を示す説明図。
【図８】第３の実施形態における頭皮ケア装置の概略構成図。
【図９】別例の頭皮ケア装置の電気的構成を概略的に示すブロック図。
【図１０】距離センサによる測定距離と送風機の送風量との関係を示す説明図。
【図１１】別例の頭皮ケア装置の概略構成図。
【図１２】別例の頭皮ケア装置による光照射の態様（赤色光照射）を示す説明図。
【符号の説明】
【００５４】
１，４１，５１，６１，７１…頭皮ケア装置、２…本体ケース、３…モータ、４…ファン、５…送風機、８…前方開口部、１０…ハンドル部、１１…スイッチ、１２，４２，６２…制御基板、１５…ノズル、１７…吹出口、１８…ヒータ、２０…光照射部、２２…距離センサ、２３，７３…アクチュエータ、３２…風量制御部、３３…熱量制御部、３４…光量制御部、３５…位置制御部、３６…電源部、５２…突出部、７２…アーム、Ｓ１，Ｓ２…信号、Ｘ…測定距離、Ｘ１…伸張距離、Ｘ２…距離、Ｌｘ…光強度、Ｗ…送風量、Ｑ…熱量。
【図１】
2010131260.tif 000003
【図２】
2010131260.tif 000004
【図３】
2010131260.tif 000005
【図４】
2010131260.tif 000006
【図５】
2010131260.tif 000007
【図６】
2010131260.tif 000008
【図７】
2010131260.tif 000009
【図８】
2010131260.tif 000010
【図９】
2010131260.tif 000011
【図１０】
2010131260.tif 000012
【図１１】
2010131260.tif 000013
【図１２】
2010131260.tif 000014